(57)【要約】【課題】吸収性物品の両側の外形線及び立体ギャザーの自由端が脚周りに擦れて摩擦による肌トラブルを生じ難くする。【解決手段】生理用ナプキン１の長手方向両側の外形線を波状を成すフリル状に形成するとともに、立体ギャザーＢＳの自由端を波状を成すフリル状に形成する。生理用ナプキン１の長手方向両側の外形線及び立体ギャザーＢＳの自由端がそれぞれ波状を成すフリル状に形成されているため、長手方向両側の外形線及び立体ギャザーＢＳの自由端が装着時に着用者の脚周りに対して点状に接触するようになるため、着用者の肌との間の摩擦による擦れ感が緩和され、痛みや違和感などの肌トラブルが生じ難くなる。【選択図】図１
2015008817.tif 000002
【特許請求の範囲】
【請求項１】
透液性表面シートと裏面シートとの間に吸収体が介在されるとともに、肌側の長手方向両側部にそれぞれ長手方向に沿って立体ギャザーが形成された吸収性物品において、
前記吸収性物品の長手方向両側の外形線が波状を成すフリル状に形成されるとともに、前記立体ギャザーの自由端が波状を成すフリル状に形成されていることを特徴とする吸収性物品。
【請求項２】
前記立体ギャザーは、吸収性物品の長手方向に沿って少なくとも１本の弾性伸縮部材を有し、
前記弾性伸縮部材は、前記立体ギャザーのフリル形状に重ならないように配設されている請求項１記載の吸収性物品。
【請求項３】
前記立体ギャザーは、吸収性物品の長手方向に沿って少なくとも１本の弾性伸縮部材を有し、
前記弾性伸縮部材は、前記立体ギャザーのフリル形状に沿って波状に配設されている請求項１、２いずれかに記載の吸収性物品。
【請求項４】
前記外形線のフリル形状と立体ギャザーのフリル形状とは、同一の波状に形成されるか、位相、振幅及び／又は波長が異なる波状に形成されている請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、詳しくは前記吸収性物品の両側部に立体ギャザーを備えた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布又は透液性プラスチックシートなどの透液性表面シートとの間に粉砕パルプ等の紙綿からなる吸収体を介在したものが知られている。
【０００３】
この種の吸収性物品にも幾多の改良が重ねられ、装着時に吸収性物品の長手方向両側の外形線や立体ギャザーの自由端が脚の付け根に接触することによって股間部に感じる痛みや違和感を低減するための手段が種々講じられている。例えば、下記特許文献１では、透液性トップシート及び不透液性バックシートは両側縁が吸収性物品の長手方向に沿う方形状を成し、前記両側縁よりも外方に突出して吸収性物品の長手方向両側部に沿って外形線が凸曲線および凹曲線の繰り返しによって波状線をなす不織布からなるフリルが形成された吸収性物品が開示されている。
【０００４】
また、下記特許文献２では、防漏側壁には防漏側壁の縦方向の両端側から縦方向の中間位置に向かうにしたがって自由端から基端側へ接近する収縮作用線を形成する弾性収縮手段が設けられている吸収性物品が開示されている。
【先行技術文献】
【特許文献】
【０００５】
【特許文献１】特許第４４９２９１３号公報
【特許文献２】特開２００１−２５２３０８号公報
【発明の概要】
【発明が解決しようとする課題】
【０００６】
上記特許文献１記載の吸収性物品では、吸収性物品の側部にフリルを形成することによって、製品端が脚の付け根に対して点状に接触するため、使用者の肌との間に摩擦が生じ難く、股間部の痛みや違和感が低減できるようになる。しかしながら、仮に立体ギャザーが形成された吸収性物品の場合には、側部の外形線がフリル形状を成していたとしても、立体ギャザーの自由端が長手方向に対して直線状に形成されるため脚の付け根に接触して肌との間の摩擦によって擦れ感が生じ、痛みや違和感を感じることが懸念される。
【０００７】
一方、上記特許文献２記載の吸収性物品は、立体ギャザーに配置される弾性部材を湾曲させることによって立体ギャザーが股間部の形状に追従しやすくなるというものであるが、立体ギャザーの自由端が長手方向に直線状に形成されているため、立体ギャザーの自由端が脚周りに擦れて、脚周りに痛みや擦れ感が生じ、肌トラブルの原因になると考えられる。また、吸収性物品の側部が長手方向に直線状に形成されているため、装着時に脚周りに擦れて摩擦による痛みや違和感などの肌トラブルの原因となっていた。
【０００８】
そこで本発明の主たる課題は、吸収性物品の両側の外形線及び立体ギャザーの自由端が脚周りに擦れて摩擦による肌トラブルを生じ難くした吸収性物品を提供することにある。
【課題を解決するための手段】
【０００９】
上記課題を解決するために請求項１に係る本発明として、透液性表面シートと裏面シートとの間に吸収体が介在されるとともに、肌側の長手方向両側部にそれぞれ長手方向に沿って立体ギャザーが形成された吸収性物品において、
前記吸収性物品の長手方向両側の外形線が波状を成すフリル状に形成されるとともに、前記立体ギャザーの自由端が波状を成すフリル状に形成されていることを特徴とする吸収性物品が提供される。
【００１０】
上記請求項１記載の発明では、装着時に脚周りに擦れやすい吸収性物品の長手方向両側の外形線及び立体ギャザーの自由端の両方がそれぞれ、波状を成すフリル状に形成されているため、それぞれが装着時に着用者の脚周りに対して点状に接触するようになるため、着用者の肌との間の摩擦による擦れ感が緩和され、痛みや違和感などの肌トラブルが生じ難くなる。
【００１１】
請求項２に係る本発明として、前記立体ギャザーは、吸収性物品の長手方向に沿って少なくとも１本の弾性伸縮部材を有し、
前記弾性伸縮部材は、前記立体ギャザーのフリル形状に重ならないように配設されている請求項１記載の吸収性物品が提供される。
【００１２】
上記請求項２記載の発明では、弾性伸縮部材を立体ギャザーのフリル形状に重ならないように配設することによって、弾性伸縮部材が直接肌に接触することがなくなり、確実に立体ギャザー自由端の肌当たりを柔らかくすることができる。
【００１３】
請求項３に係る本発明として、前記立体ギャザーは、吸収性物品の長手方向に沿って少なくとも１本の弾性伸縮部材を有し、
前記弾性伸縮部材は、前記立体ギャザーのフリル形状に沿って波状に配設されている請求項１、２いずれかに記載の吸収性物品が提供される。
【００１４】
上記請求項３記載の発明では、弾性伸縮部材を立体ギャザーのフリル形状に沿って波状に配設することによって、立体ギャザーの起立時に、弾性伸縮部材が収縮して直線状になるため、波状線のうち外側に凸の部分が、長手方向に収縮するとともに幅方向内側にも引き寄せられる結果、弾性伸縮部材より自由端側の不織布が立体ギャザーの起立面に対して外側に反り返ったような変形を生じ、立体ギャザー自由端の肌当たりがより一層柔軟になる。
【００１５】
請求項４に係る本発明として、前記外形線のフリル形状と立体ギャザーのフリル形状とは、同一の波状に形成されるか、位相、振幅及び／又は波長が異なる波状に形成されている請求項１〜３いずれかに記載の吸収性物品が提供される。
【００１６】
上記請求項４記載の発明では、外形線のフリル形状と立体ギャザーのフリル形状とを同一の波状に形成してあるため、外向きの立体ギャザーとした場合には、ギャザーシートを貼り合わせた後に、製品外形カッターで製品外形線とギャザーシートとを同時に裁断することによって、製品外形線のフリル形状と立体ギャザーのフリル形状を１つの裁断工程で同時に設けることができるようになる。また、位相、振幅及び／又は波長が異なる波状に形成した場合には、後段で詳述するように、各波状線の凸曲線が肌に接触して漏れを補うように作用するなどの利点がある。
【発明の効果】
【００１７】
以上詳説のとおり本発明によれば、吸収性物品の両側の外形線及び立体ギャザーの自由端が脚周りに擦れて摩擦による肌トラブルが生じ難くなる。
【図面の簡単な説明】
【００１８】
【図１】本発明に係る生理用ナプキン１の一部破断展開図である。
【図２】(A)〜(C)はそれぞれ、図１のIIA−IIA線矢視図、IIB−IIB線矢視図、IIC−IIC線矢視図である。
【図３】(A)は生理用ナプキン１の展開図、(B)は立体ギャザーＢＳ起立時のB−B線矢視図である。
【図４】生理用ナプキン１の展開図である。
【図５】生理用ナプキン１の展開図である。
【図６】生理用ナプキン１の(A)は展開図、(B)はそのB−B線矢視図である。
【図７】他の形態例に係る生理用ナプキン１を示す、(A)は展開図、(B)はそのB−B線矢視図である。
【図８】他の形態例に係る生理用ナプキン１を示す、(A)は展開図、(B)はそのB−B線矢視図である。
【発明を実施するための形態】
【００１９】
以下、本発明の実施の形態について図面を参照しながら詳述する。
【００２０】
本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、前記吸収体４の形状保持および拡散性向上のために前記吸収体４を囲繞するクレープ紙５と、表面両側部にそれぞれ長手方向に沿って配設されたサイド不織布７，７によって少なくとも体液排出部を含むように前後方向に所定の区間内において表面側に突出して設けられた左右一対の立体ギャザーＢＳ、ＢＳとから主に構成されている。前記吸収体４の周囲において、そのナプキン長手方向の前後端縁部では、前記不透液性裏面シート２と透液性表面シート３との外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部が形成されている。
【００２１】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２２】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００２３】
これら不透液性裏面シート２と透液性表面シート３との間に介在される吸収体４は、たとえばパルプ中に高吸水性樹脂を混入したもの、或いはパルプ中に化学繊維を混入させるとともに、高吸水性ポリマーを混入したものが使用される。前記吸収体４は、形状保持、および経血等を速やかに拡散させるとともに、一旦吸収した経血等の逆戻りを防止するためにクレープ紙５によって囲繞することが好ましいが、無くても構わない。
【００２４】
前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。薄型生理用ナプキンとする場合には、前記吸収体４として、エアレイド法により作製されたものが用いられる。また、前記高吸水性ポリマーとしては、高吸水ポリマー粒状粉（ＳＡＰ）や高吸水ポリマー繊維（ＳＡＦ）を用いることができる。
【００２５】
一方、本生理用ナプキン１の表面側両側部にはそれぞれ、長手方向に沿ってかつナプキン１のほぼ全長に亘ってサイド不織布７，７が設けられている。このサイド不織布７，７が側方に延在されるとともに、同じく側方に延在された不透液性裏面シート２とによって側方フラップ部が形成されている。
【００２６】
前記サイド不織布７としては、重要視する機能の点から撥水処理不織布または親水処理不織布を使用することができる。たとえば、体液が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記サイド不織布７における体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００２７】
前記サイド不織布７は、図２に示されるように、幅方向中間部より外側部分を吸収体４の内側位置から吸収体側縁を若干越えて不透液性裏面シート２の外縁までの範囲に亘ってホットメルトなどの接着剤によって接着されている。一方、サイド不織布７の内方側部分は幅方向外側に折り返されるとともに、少なくとも折り返し先端部が二重シートによって構成され、この二重シート内部に、両端または長手方向の適宜の位置が固定された少なくとも１本の、図示例では１本の糸状弾性伸縮部材８が配設されている。図２(A)に示されるように、この幅方向外側に折り返された部分は、ナプキン長手方向の前後端部では下層側に接着されている。その他の前記糸状弾性伸縮部材８が配設されたナプキン長手方向の中間部では、図２(B)、(C)に示されるように、前記糸状弾性伸縮部材８の収縮作用によって表面側に起立する立体ギャザーＢＳ、ＢＳが形成されている。
【００２８】
前記生理用ナプキン１の長手方向両側の外形線は、少なくとも長手方向中央部であって装着時に着用者の脚の付け根に接触する部分が、凸曲線と凹曲線が交互に繰り返し配置されることによって波状線を成すフリル状に形成されている。換言すると、生理用ナプキン１の幅が長手方向に沿って幅広部と幅狭部が交互に繰り返し形成されるフリル状に形成されている。また、立体ギャザーＢＳの自由端は、少なくとも長手方向中央部であって装着時に着用者の脚の付け根に接触する部分が、凸曲線と凹曲線が交互に繰り返し配置されることによって波状線を成すフリル状に形成されている。換言すると、立体ギャザーＢＳの基端部からの起立高さがナプキン長手方向に沿って高い部分と低い部分が交互に繰り返し形成されるフリル状に形成されている。
【００２９】
このように、ナプキン両側の外形線及び立体ギャザーＢＳの自由端をそれぞれフリル状に形成することによって、ナプキン外形線及びギャザー自由端が装着時に着用者の脚周りに対して点状に接触するため、着用者の肌との間の摩擦による擦れが緩和され、痛みや違和感などの肌トラブルを生じ難くすることができるようになる。
【００３０】
図１に示される生理用ナプキン１では、展開状態で、生理用ナプキン１の長手方向両側の外形線と立体ギャザーＢＳの自由端の外形線がほぼ一致するように、立体ギャザーＢＳを構成する幅方向外側に折り返した部分の端部がナプキン外縁まで延在して配設されている。これによって、後段で詳述するようにナプキン外形線の裁断と立体ギャザーＢＳの裁断が同時にでき、製造工程が簡略化できるようになる。
【００３１】
また、前記立体ギャザーＢＳに配設される糸状弾性伸縮部材８は、図１に示されるように、立体ギャザーＢＳのフリル形状に重ならないように配設することが望ましい。すなわち、前記糸状弾性伸縮部材８は、立体ギャザーＢＳの自由端との間にナプキン幅方向に所定の離間幅を有しながら前記自由端より内側に配設されている。前記糸状弾性伸縮部材８と立体ギャザーＢＳの自由端との離間幅Ｓは、最も小さくなる凹曲線の頂部において、少なくとも１．５ｍｍ程度とすることが望ましい。糸状弾性伸縮部材８がフリル形状に重なったり、離間幅Ｓが小さすぎると、糸状弾性伸縮部材８が肌に接触して擦れやすくなり、肌トラブルの原因となる。
【００３２】
図１に示される例では、糸状弾性伸縮部材８は、ナプキン長手方向に沿って直線状に配設されているが、図３に示されるように、立体ギャザーＢＳのフリル形状に沿って波状に配設することも可能である。このような波状に配設した場合には、立体ギャザーＢＳの起立時に、糸状弾性伸縮部材８が収縮して直線状に変形する結果、立体ギャザーＢＳの波状線のうち外側に突出する凸曲線の部分が、長手方向に収縮するとともに幅方向内側に引き寄せられるように変形するので、図３(B)に示されるように、糸状弾性伸縮部材８より自由端側部分が立体ギャザーＢＳの起立面に対して外側にめくれ返ったように変形する。このため、立体ギャザーＢＳの自由端の肌当たりがより一層柔軟になる。
【００３３】
図１に示される例では、ナプキン外形線と立体ギャザーＢＳの自由端がほぼ一致する波状に形成されているが、図４及び図５に示されるように、両者の波状線の位相、振幅及び／又は波長が異なるように形成することも可能である。図４に示される例では、ナプキン外形線の波状線と立体ギャザーＢＳの自由端の波状線は、振幅及び波長がほぼ同等で、位相が２分の１周期分ずれた状態で、フリル形状の凸曲線の頂点を結ぶ線がほぼ同一の線上に位置するように形成されている。これによって、一方の波状線の内側に凸となる凹曲線部分に、他方の波状線の外側に凸となる凸曲線が位置するようになる。従って、一方の波状線の凹曲線は、吸収体４の側縁との距離や立体ギャザーＢＳの起立高さが短いため、肌との間に隙間が生じやすく漏れが発生しやすい部分であるが、この凹曲線に他方の波状線の凸曲線が重なって配置してあるため、この凸曲線が肌に接触して漏れを補うように作用する。
【００３４】
また、図５に示される例は、両フリル形状の波状線の波長（隣接する凸曲線同士の間隔）を異ならせたものである。ナプキン外形線の波長Ｌ１及び立体ギャザーＢＳ自由端の波長Ｌ２はともに、細かくした方が肌に接触する部分が点に近づくため、より肌当たりが良くなるが、あまり細かくしすぎると波状にした効果が失われてしまう。従って、前記波長Ｌ１、Ｌ２はそれぞれ、５〜３０ｍｍ、好ましくは１５〜２５ｍｍとするのがよい。
【００３５】
また図示しないが、両波状線の振幅が異なるように形成してもよい。例えば、ナプキン外形線は脚の付け根に接触して立体ギャザーＢＳより脚圧を大きく受けやすいので、立体ギャザーＢＳのフリル形状の振幅より大きくして波状の凸曲線を潰れにくくすることができる。
【００３６】
また、図６に示されるように、ナプキン本体両側のフラップ部であって不透液性裏面シート２とサイド不織布７との間に、ナプキン長手方向に沿って少なくとも１本の糸状弾性伸縮部材９を配設することにより、ナプキン本体の両側にギャザーを形成してもよい。これによって、ナプキン表面側の両側部には、前記立体ギャザーＢＳの外側に更にギャザーが設けられた二重ギャザーが形成されるようになり、脚の付け根に対する密着度を高めることができるようになる。
【００３７】
前記立体ギャザーＢＳは、糸状弾性伸縮部材８より自由端側の二重不織布７、７間を非接着としてヒラヒラさせておいてもよい。これによって、ギャザー先端部の肌当たりをより一層柔らかくでき、擦れ感が更に低減できる。
【００３８】
本生理用ナプキン１の製造に当たっては、ナプキン外形のフリル形状と立体ギャザーＢＳのフリル形状を一致させる場合には、サイド不織布７を適宜折り畳み、透液性表面シート３とサイド不織布７とを貼り合わせ、吸収体４の表面側に貼り合わせる。その後、これらの積層体を不透液性裏面シート２の上面に貼り合わせた状態で、製品カッターでサイド不織布７の折り返し端部とともに不透液性裏面シート２を裁断することによって、ナプキン外形線のフリル形状と立体ギャザーＢＳ自由端のフリル形状とを同時に形成することができる。
【００３９】
一方、図４に示されるように、波状線の位相をずらした場合であって、立体ギャザーＢＳの自由端の少なくとも一部がナプキン外形線より外側に位置する場合には、ナプキン外形線のフリル形状と立体ギャザーＢＳのフリル形状とを別々に裁断する必要がある。この場合、不透液性裏面シート２の両側縁をフリル形状に裁断した後、ナプキン外形線に対応する側縁を前記不透液性裏面シート２と同じフリル形状に裁断するとともに、立体ギャザーＢＳの自由端に対応する側縁を所定のフリル形状に裁断したサイド不織布を、前記不透液性裏面シート２の波状線に位置合わせしながら積層して接着し、しかる後、ナプキン前後端を裁断することによって製造できる。
【００４０】
また、図５に示される両フリル形状の波長を異ならせた場合や、振幅を異ならせた場合、立体ギャザーＢＳの自由端がナプキン外形線のフリル形状より外側にはみ出るものについては、上述の不透液性裏面シート２とサイド不織布７とをそれぞれ別々に波状線に裁断したものを位置合わせしながら積層して接着することによって製造できる。他方、立体ギャザーＢＳの自由端がナプキン外形線のフリル形状より内側に位置するものについては、サイド不織布７の立体ギャザーＢＳの自由端に対応する側縁のみをフリル形状にカットした後、不透液性裏面シート２に積層して接着した状態で、製品カッターで不透液性裏面シート２及びサイド不織布７をともにナプキン外形線に裁断することによって製造することができる。
【００４１】
ところで、ナプキン両側の外形線と立体ギャザーＢＳの自由端を同一のフリル形状で形成した場合、図１に示されるように両者のフリル形状が一致するように配置することが望ましいが、ナプキン外形線と立体ギャザーＢＳの自由端が幅方向に位置ズレするように配置してもよい。
【００４２】
〔他の形態例〕
(1)上記形態例では、立体ギャザーＢＳは、図２に示されるように、自由端が外側を向く外向きのギャザーの場合について説明したが、図７及び図８に示されるように、自由端が内側を向く内向きのギャザーについても同様に適用できる。
(2)上記形態例では、立体ギャザーＢＳは、生理用ナプキン１の側縁まで延在するサイド不織布７の内側部分によって形成していたが、前記サイド不織布７とは別の立体ギャザー用不織布によって立体ギャザーＢＳを形成し、生理用ナプキン１の表面側両側部に接合するようにしてもよい。
【符号の説明】
【００４３】
１…生理用ナプキン、２…不透液性裏面シート、３…透液性表面シート、４…吸収体、７…サイド不織布、８・９…糸状弾性伸縮部材
【図１】
2015008817.tif 000003
【図２】
2015008817.tif 000004
【図３】
2015008817.tif 000005
【図４】
2015008817.tif 000006
【図５】
2015008817.tif 000007
【図６】
2015008817.tif 000008
【図７】
2015008817.tif 000009
【図８】
2015008817.tif 000010